(57)【要約】【課題】空調空間の温度・湿度についての情報が必要のない使用者に対して供給されるという問題がある。【解決手段】空調管理システム１は、空調管理サーバ３と、複数の端末装置４とを備える。空調管理サーバ３は、空調空間の温度および湿度についての情報を端末装置４に供給するときの所定の優先度を記憶する優先度記憶部５１と、空調空間の温度および湿度についての情報を記憶する空調空間情報記憶部５２とを有している。空調管理サーバ３は、空調空間の温度および湿度が所定範囲内であるときに、空調空間の温度および湿度が所定範囲内であることを示す情報を所定の優先度に基づいて複数の端末装置４に供給する。【選択図】図１
2015014410.tif 000002
【特許請求の範囲】
【請求項１】
空調空間の温度および湿度の少なくとも一方についての情報を記憶する空調空間情報記憶手段を有する管理装置と、
前記管理装置から情報が供給され得る複数の端末装置とを備え、
前記管理装置は、空調空間の温度および湿度の少なくとも一方が所定範囲内であるときに、空調空間の温度および湿度の少なくとも一方が所定範囲内であることを示す空調空間情報を所定の優先度に基づいて前記複数の端末装置に供給することを特徴とする空調管理システム。
【請求項２】
前記端末装置は、前記空調空間情報が当該端末装置の使用者によって確認された場合に、前記空調空間情報が確認されたことを示す使用者確認情報を前記管理装置に供給するものであって、
前記管理装置は、前記空調空間情報を端末装置に供給した後、所定時間が経過しても当該端末装置から使用者確認情報が供給されない場合に、前記空調空間情報を他の端末装置に供給することを特徴とする請求項１に記載の空調管理システム。
【請求項３】
前記管理装置は、前記空調空間情報を端末装置に供給した後、当該端末装置から使用者確認情報が供給された場合は、前記空調空間情報を他の端末装置に供給しないことを特徴とする請求項１または２に記載の空調管理システム。
【請求項４】
前記管理装置は、前記空調空間情報を端末装置に供給した後、当該端末装置から使用者確認情報が供給された場合は、前記使用者確認情報を、それまでに前記空調空間情報を供給した端末装置に供給することを特徴とする請求項２または３のいずれかに記載の空調管理システム。
【請求項５】
前記管理装置は、前記所定の優先度を記憶する優先度記憶手段を備えることを特徴とする請求項１−４のいずれかに記載の空調管理システム。
【請求項６】
前記所定の優先度を所定のルールに基づいて決定する優先度決定手段を備えることを特徴とする請求項１−４のいずれかに記載の空調管理システム。
【請求項７】
前記所定のルールは、前記空調空間と前記端末装置との距離に基づくものであることを特徴とする請求項６に記載の空調管理システム。
【請求項８】
前記端末装置は、空調空間にある空気調和機に対して運転変更命令を供給できることを特徴とする請求項１−７のいずれかに記載の空調管理システム。
【請求項９】
コンピュータを、
空調空間の温度および湿度の少なくとも一方についての情報を記憶する記憶手段に記憶された空調空間の温度および湿度の少なくとも一方が所定範囲内であるときに、空調空間の温度および湿度の少なくとも一方が所定範囲内であることを示す空調空間情報を所定の優先度に基づいて複数の端末装置に供給する情報供給手段として機能させることを特徴とする空調管理プログラム。
【発明の詳細な説明】
【技術分野】
【０００１】
本発明は、空調空間の温度・湿度を管理する空調管理システムおよび空調管理プログラムに関する。
【背景技術】
【０００２】
従来の空気調和機には、例えば熱中症等になる室温になった場合に、室温を低下させる強制運転を自動的に開始するものがある。
【先行技術文献】
【特許文献】
【０００３】
【特許文献１】特開２０１２−２３７４８１
【発明の概要】
【発明が解決しようとする課題】
【０００４】
従来の空気調和機のように、空調空間の温度・湿度が所定範囲になったときに強制運転を自動的に開始するのでなく、空調空間の温度・湿度についての情報を、使用者（ユーザ）の端末装置に供給して使用者に知らせることが考えられる。したがって、使用者は、空調空間の温度・湿度が、空調空間にいる人が熱中症等になるような状態であることを知ることができるので、使用者は、例えば端末装置から空調空間にある空気調和機に運転開始命令を供給することによって空気調和機の運転を開始できる。しかし、空気調和機には、複数の端末装置から供給された運転開始命令によって運転を開始できるものがあるが、空調空間の温度・湿度についての情報が全ての端末装置に供給される場合、その情報が供給される必要のない使用者に対しても供給されることになる。例えば、空調空間にいる使用者と空調空間にいない使用者がいる場合において、空調空間の温度・湿度についての情報は、空調空間にいる使用者の端末装置に供給する必要があるが、空調空間にいない使用者の端末装置に供給する必要がない場合が多い。
【０００５】
そこで、本発明の目的は、空調空間の温度・湿度についての情報を供給する必要のない端末装置に対して情報が供給されるのを抑制できる空調管理システムおよび空調管理プログラムを提供することである。
【課題を解決するための手段】
【０００６】
第１の発明にかかる空調管理システムは、空調空間の温度および湿度の少なくとも一方についての情報を記憶する空調空間情報記憶手段を有する管理装置と、前記管理装置から情報が供給され得る複数の端末装置とを備え、前記管理装置は、空調空間の温度および湿度の少なくとも一方が所定範囲内であるときに、空調空間の温度および湿度の少なくとも一方が所定範囲内であることを示す空調空間情報を所定の優先度に基づいて前記複数の端末装置に供給することを特徴とする。
【０００７】
第９の発明にかかる空調管理プログラムは、コンピュータを、空調空間の温度および湿度の少なくとも一方についての情報を記憶する記憶手段に記憶された空調空間の温度および湿度の少なくとも一方が所定範囲内であるときに、空調空間の温度および湿度の少なくとも一方が所定範囲内であることを示す空調空間情報を所定の優先度に基づいて複数の端末装置に供給する情報供給手段として機能させることを特徴とする。
【０００８】
この空調管理システムおよび空調管理プログラムでは、空調空間の温度・湿度が所定範囲内であるときに、そのことを示す空調空間情報が所定の優先度に基づいて複数の端末装置に供給される。したがって、例えば、空調空間情報が複数の端末装置の全てに供給されないで一部の端末装置だけに供給されるように設定したり、空調空間情報が複数の端末装置に対して同時に供給されないで順に供給されるように設定できるので、空調空間情報が複数の端末装置の全てに同時に供給される場合に対して、空調空間情報を供給する必要のない使用者に対して空調空間情報が供給されるのを抑制できる。また、空調空間情報を供給する必要のない使用者に対して空調空間情報が供給されるのを防止するために、空調空間情報を特定の端末装置だけに供給する場合には、その特定の使用者が情報を見逃した場合に、空調空間の温度・湿度が所定範囲になった状態で放置される場合がある。これに対して、本発明の空気調和機では、空調空間情報を特定の端末装置だけに供給するのでなく、空調空間情報が所定の優先度に基づいて全ての端末装置に供給されるように設定できるので、空調空間の温度・湿度が所定範囲になった状態で放置されるのを抑制できる。
【０００９】
第２の発明にかかる空調管理システムは、第１の発明にかかる空調管理システムにおいて、前記端末装置は、前記空調空間情報が当該端末装置の使用者によって確認された場合に、前記空調空間情報が確認されたことを示す使用者確認情報を前記管理装置に供給するものであって、前記管理装置は、前記空調空間情報を端末装置に供給した後、所定時間が経過しても当該端末装置から使用者確認情報が供給されない場合に、前記空調空間情報を他の端末装置に供給することを特徴とする。
【００１０】
この空調管理システムでは、空調空間情報を端末装置に供給した後、その端末装置の使用者によって空調空間情報が確認されない場合に、他の使用者に空調空間情報を供給して空調空間情報を知らせることができる。
【００１１】
第３の発明にかかる空調管理システムは、第１または第２の発明にかかる空調管理システムにおいて、前記管理装置は、前記空調空間情報を端末装置に供給した後、当該端末装置から使用者確認情報が供給された場合は、前記空調空間情報を他の端末装置に供給しないことを特徴とする。
【００１２】
この空調管理システムでは、空調空間情報が使用者によって確認された後は、他の使用者に空調空間情報が供給されなくなるので、空調空間情報を供給する必要のない使用者に対して空調空間情報が供給されるのを抑制できる。
【００１３】
第４の発明にかかる空調管理システムは、第２または第３の発明にかかる空調管理システムにおいて、前記管理装置は、前記空調空間情報を端末装置に供給した後、当該端末装置から使用者確認情報が供給された場合は、前記使用者確認情報を、それまでに前記空調空間情報を供給した端末装置に供給することを特徴とする請求項２または３のいずれかに記載の空調管理システム。
【００１４】
この空調管理システムでは、空調空間情報が使用者によって確認された場合に、空調空間情報が使用者によって確認されたことを、それまでに空調空間情報を供給した使用者に知らせることができる。
【００１５】
第５の発明にかかる空調管理システムは、第１−第４のいずれかの発明にかかる空調管理システムにおいて、前記管理装置は、前記所定の優先度を記憶する優先度記憶手段を備えることを特徴とする。
【００１６】
この空調管理システムでは、使用者によって設定された優先度に基づいて空調空間情報を供給できる。
【００１７】
第６の発明にかかる空調管理システムは、第１−第４のいずれかの発明にかかる空調管理システムにおいて、前記所定の優先度を所定のルールに基づいて決定する優先度決定手段を備えることを特徴とする。
【００１８】
この空調管理システムでは、所定の優先度が所定のルールに基づいて決定されるので、使用者が所定の優先度を設定する必要がない。
【００１９】
第７の発明にかかる空調管理システムは、第６の発明にかかる空調管理システムにおいて、前記所定のルールは、前記空調空間と前記端末装置との距離に基づくものであることを特徴とする。
【００２０】
この空調管理システムでは、所定の優先度が空調空間と端末装置との距離に基づいて決定されるので、例えば空調空間に近い使用者に対して優先して空調空間情報を供給することができる。
【００２１】
第８の発明にかかる空調管理システムは、第１−第６のいずれかの発明にかかる空調管理システムにおいて、前記端末装置は、空調空間にある空気調和機に対して運転変更命令を供給できることを特徴とする。
【００２２】
この空調管理システムでは、空調空間情報を確認した使用者は、空調空間の温度・湿度が所定範囲外になるように空気調和機の運転を変更できる。したがって、空調空間にいる使用者が熱中症等になることを防止できる。
【発明の効果】
【００２３】
以上の説明に述べたように、本発明によれば、以下の効果が得られる。
【００２４】
第１および第９の発明では、空調空間の温度・湿度が所定範囲内であるときに、そのことを示す空調空間情報が所定の優先度に基づいて複数の端末装置に供給される。したがって、例えば、空調空間情報が複数の端末装置の全てに供給されないで一部の端末装置だけに供給されるように設定したり、空調空間情報が複数の端末装置に対して同時に供給されないで順に供給されるように設定できるので、空調空間情報が複数の端末装置の全てに同時に供給される場合に対して、空調空間情報を供給する必要のない使用者に対して空調空間情報が供給されるのを抑制できる。また、空調空間情報を供給する必要のない使用者に対して空調空間情報が供給されるのを防止するために、空調空間情報を特定の端末装置だけに供給する場合には、その特定の使用者が情報を見逃した場合に、空調空間の温度・湿度が所定範囲になった状態で放置される場合がある。これに対して、本発明の空気調和機では、空調空間情報を特定の端末装置だけに供給するのでなく、空調空間情報が所定の優先度に基づいて全ての端末装置に供給されるように設定できるので、空調空間の温度・湿度が所定範囲になった状態で放置されるのを抑制できる。
【００２５】
第２の発明では、空調空間情報を端末装置に供給した後、その端末装置の使用者によって空調空間情報が確認されない場合に、他の使用者に空調空間情報を供給して空調空間情報を知らせることができる。
【００２６】
第３の発明では、空調空間情報が使用者によって確認された後は、他の使用者に空調空間情報が供給されなくなるので、空調空間情報を供給する必要のない使用者に対して空調空間情報が供給されるのを抑制できる。
【００２７】
第４の発明では、空調空間情報が使用者によって確認された場合に、空調空間情報が使用者によって確認されたことをそれまでに空調空間情報を供給した使用者に知らせることができる。
【００２８】
第５の発明では、使用者によって設定された優先度に基づいて空調空間情報を供給できる。
【００２９】
第６の発明では、所定の優先度が所定のルールに基づいて決定されるので、使用者が所定の優先度を設定する必要がない。
【００３０】
第７の発明では、所定の優先度が空調空間と端末装置との距離に基づいて決定されるので、例えば空調空間に近い使用者に対して優先して空調空間情報を供給することができる。
【００３１】
第７の発明では、空調空間情報を確認した使用者は、空調空間の温度・湿度が所定範囲外になるように空気調和機の運転を変更できる。したがって、空調空間にいる使用者が熱中症等になることを防止できる。
【図面の簡単な説明】
【００３２】
【図１】本発明の第１実施形態に係る空調管理システムの構成を示す図である。
【図２】第１実施形態における判定図である。
【図３】第１実施形態に係る空調管理システムの動作を説明する図である。
【図４】本発明の第１実施形態における端末装置の表示画面の一例を示す図である。
【図５】本発明の第１実施形態における端末装置の表示画面の一例を示す図である。
【図６】本発明の第１実施形態における端末装置の表示画面の一例を示す図である。
【図７】本発明の第２実施形態に係る空調管理システムの構成を示す図である。
【図８】第２実施形態に係る空調管理システムの動作を説明する図である。
【図９】本発明の変形例における判定図である。
【発明を実施するための形態】
【００３３】
〔第１実施形態〕
以下、本発明の第１実施形態に係る空調管理システム１について説明する。
【００３４】
＜空調管理システム１の全体構成＞
図１に示すように、本実施形態の空調管理システム１は、空調空間の温度・湿度を管理するものであって、室内に設置される室内機２ａおよび室外に設置される室外機を有する空気調和機２と、空調管理サーバ３と、空調管理サーバ３との間でそれぞれ情報の通信を行う複数の端末装置４を備えている。
【００３５】
空気調和機２は、自動運転、冷房運転、暖房運転、除湿運転、加湿運転、空気清浄運転及び送風運転のいずれかの運転が可能であって、リモコンや端末装置４によって、いずれかの運転を選択して運転開始操作や運転停止操作を行ったり、室内温度の設定温度を設定することができる。また、リモコンや端末装置４では、空調空間情報を供給する優先度についての情報を登録する操作を行うことができる。
【００３６】
室内機２ａは、情報の通信を行う通信部を有しており、空調管理サーバ３に情報を供給するとともに、端末装置４から供給された情報を受けることができる。また、図１に示すように、室内機２ａには、室内温度を検出する室内温度センサ２１と、室内湿度を検出する室内湿度センサ２２とが配置される。したがって、空気調和機２では、例えば室内温度センサ２１や室内湿度センサ２２で検出した温度や湿度を空調管理サーバ３に対して供給したり、端末装置４から供給された運転開始命令に基づいて運転が制御される。本実施形態では、室内温度センサ２１で検出された室内温度や、室内湿度センサ２２で検出された室内湿度は、空調管理サーバ３に供給されるように構成される。
【００３７】
空調管理サーバ３は、制御部５０を有している。制御部５０には、空調管理サーバ３に係る各種動作の制御プログラムやデータなどが格納されたＲＯＭ、空調管理サーバ３の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、優先度記憶部５１と、空調空間情報記憶部５２と、判定部５３と、情報供給部５４と、タイマー５５と、使用者確認情報検知部５６とが形成されている。また、制御部５０は、通信部５７に接続されている。本実施形態では、空調管理サーバ３が、本発明における管理装置に対応する。
【００３８】
優先度記憶部５１は、空調空間の温度・湿度が所定範囲内である場合に、そのことを示す空調空間情報を端末装置４に供給するときの優先度についての情報を記憶する。本実施形態では、優先度記憶部５１は、使用者が端末装置４を操作することによって登録された空調空間情報を供給するときの優先度を記憶する。
【００３９】
空調空間情報記憶部５２は、空気調和機２の室内機２ａから供給された空調空間の温度および湿度（室内温度センサ２１で検知された室内温度と、室内湿度センサ２２で検知された室内湿度）についての情報（空調空間情報）を記憶する。本実施形態では、空調空間情報は、空気調和機２の室内機２ａから供給されるので、空調空間情報記憶部５２に記憶された情報が更新される。
【００４０】
判定部５３は、空気調和機２の室内機２ａから供給された空調空間情報に基づいて、空調空間情報を端末装置４に供給するか否かを判定する。詳しくは、判定部５３は、室内温度や室内湿度が判定図の強制運転ゾーンにある場合に、空調空間が強制運転（冷房運転）を開始する必要がある状態であるとして、空調空間情報を端末装置４に供給すると判定する。
【００４１】
タイマー５４は、空調空間情報を端末装置４に供給した場合に、その後の所定時間を計測する。
【００４２】
使用者確認情報検知部５５は、空調空間情報を端末装置４に供給した後で、その端末装置４において使用者によって空調空間情報が確認された場合、空調空間情報が確認されたことを示す使用者確認情報が端末装置４から空調管理サーバ３に供給されるので、その使用者確認情報を検知する。端末装置４から空調管理サーバ３に供給された使用者確認情報は、使用者確認情報検知部５５に記憶される。
【００４３】
情報供給部５６は、判定部５３において空調空間情報を端末装置４に供給すると判定された場合に、空調空間情報を端末装置４に供給する。このとき、情報供給部５６は、優先度記憶部５１に記憶された優先度に基づいて、空調空間情報を端末装置４に供給する。本実施形態では、判定部５３において空調空間情報を端末装置４に供給すると判定された場合、複数の端末装置４のうちで最も優先度の高い端末装置４に対して空調空間情報を供給する。また、空調空間情報を端末装置４に供給した後で、所定時間が経過しても、その端末装置４から使用者確認情報が供給されなかったときは、情報供給部５６は、その次に優先度の高い端末装置４に対して空調空間情報を供給する。また、情報供給部５６は、使用者確認情報検知部５５において、端末装置４において使用者によって空調空間情報が確認されたことが検知された場合、その後、空調空間情報を端末装置４に対して供給しない。したがって、本実施形態では、空調管理サーバ３において使用者確認情報が検知されるまで、情報供給部５６は、空調空間情報を優先度にしたがって端末装置４に供給する。また、情報供給部５６は、空調管理サーバ３において使用者確認情報が検知された場合、その使用者確認情報を、それまでに空調空間情報を供給した端末装置４に対して供給する。
【００４４】
端末装置４は、例えばスマートフォンなどの液晶端末であって、表示画面１０を有している。端末装置４では、例えば、空調管理サーバ３から空調空間情報が供給された場合に、その空調空間情報を表示画面１０に表示する。したがって、端末装置４の使用者は、表示画面１０に表示された空調空間情報を見て、空調空間の温度・湿度が所定範囲内であることを知ることができる。また、端末装置４では、空調空間情報が供給された後で、その端末装置４において空調空間情報が使用者によって確認された場合に、空調空間情報が確認されたことを示す使用者確認情報を空調管理サーバ３に対して供給する。また、端末装置４では、使用者が端末装置４に対して空気調和機２の室内機２ａの運転を変更する操作を行った場合に、空気調和機２の室内機２ａに対して運転変更命令（運転を開始する運転開始命令や、設定温度を変更する設定温度変更命令を含む）を供給する。本実施形態では、複数の端末装置４のいずれも、空気調和機２の室内機２ａに対して運転変更命令を供給できるものである。
【００４５】
本実施形態では、判定部５３において空調空間情報を端末装置４に供給するか否かを判定する場合に、室内温度及び室内湿度についての判定図が使用される。判定図は、図２に示すように、縦軸は室内湿度（相対湿度）を示し、横軸は室内温度を示している。
【００４６】
図２は、空調空間情報を端末装置に供給するかを判定する判定図の一例であるが、この判定図には、情報供給ゾーンが設定される。情報供給ゾーンは、室内が高温状態や高湿状態であって、室内温度や室内湿度を低下させる必要がある領域である。したがって、情報供給ゾーンでない領域は、室内温度や室内湿度を低下させる必要がない領域であると考えられる。
【００４７】
図２の判定図において、Ａ１点〜Ａ３点は、下記の室内温度及び室内湿度である点を示す。
・Ａ１点：室内温度が２７度であり、室内湿度が１００％である点
・Ａ２点：室内温度が２７度であり、室内湿度が７０〜８０％の間のｙ１である点
・Ａ３点：室内温度が３３度であり、室内湿度が３０％である点
【００４８】
図２の判定図では、Ａ１点とＡ２点とＡ３点を接続した線Ａの右上の領域（室内温度及び室内湿度が線Ａ上にある場合を含む）である情報供給ゾーンが図示されている。したがって、室内温度及び室内湿度が情報供給ゾーンにある場合には、室内温度や室内湿度を低下させる必要があるとして、空調空間情報が端末装置４に供給される。
【００４９】
次に、空調管理システム１の動作について、図３−図５を参照しつつ説明する。
【００５０】
まず、複数の端末装置４のいずれかの使用者によって優先度が登録される（ステップＳ１）。端末装置４において優先度が登録される場合には、図４に示すように、端末装置４の表示画面１０には、複数の端末装置４のそれぞれの使用者が表示され、使用者の端末装置４のそれぞれについて有効または無効が設定される。したがって、空調空間情報は、有効が設定された端末装置４に供給されるが、無効が設定された端末装置４には供給されない。その後、有効が設定された複数の端末装置４（複数の使用者）について優先度が設定される。図４の表示画面１０において、左端に記載された番号が優先順を示している。使用者は、端末装置４において優先度の設定が終了して、表示画面１０に表示された完了ボタンを操作すると、設定された優先度についての情報が、端末装置４から空調管理サーバ３に供給され、優先度記憶部５１に記憶されて、優先度の登録が完了する。
【００５１】
複数の端末装置４（複数の使用者）についての優先度が登録された状態で、判定部５３において、室内温度センサ２１で検知される室内温度や室内湿度センサ２２で検知される室内湿度に基づいて、空調空間情報を端末装置４に供給するか否か（室内温度や室内湿度が判定図において情報供給ゾーンにあるか否か）を判定する（ステップＳ２）。
【００５２】
ステップＳ２において、室内温度や室内湿度が判定図の情報供給ゾーンにあると判断した場合には（ステップＳ２：ＹＥＳ）、空調空間情報が端末装置４に供給される（ステップＳ３）。このとき、複数の端末装置４（複数の使用者）について登録された優先度にしたがって、空調空間情報が端末装置４に供給される。したがって、室内温度や室内湿度が判定図の情報供給ゾーンにあると判断された直後は、優先度の最も高い端末装置４（使用者）に対して、空調空間情報が供給される。一方、室内温度や室内湿度が判定図の情報供給ゾーンにない場合には（ステップＳ２：ＮＯ）、ステップＳ２を繰り返す。
【００５３】
ステップＳ３において、空調空間情報が端末装置４に供給された後、所定時間内に、端末装置４において空調空間情報が確認されたか否かを判定する（ステップＳ４）。端末装置４において所定時間内に空調空間情報が確認された場合には（ステップＳ４：ＹＥＳ）、その端末装置４から空調管理サーバ３に使用者確認情報が供給される（ステップＳ５）。すると、その使用者確認情報が空調管理サーバ３から他の端末装置４（それまでに空調空間情報が供給された端末装置４）に供給される（ステップＳ６）。図５は、空調空間情報が、優先度の最も高い端末装置４（使用者）に供給された後、その端末装置４から空調管理サーバ３に使用者確認情報が供給されないので、優先度が２番目に高い端末装置４（使用者）に供給されているときの表示画面１０を示している。この表示画面１０を見ると、優先度が２番目に高い端末装置４の使用者は、空調空間情報が優先度の最も高い端末装置４の使用者に供給されたが、その端末装置４の使用者によって空調空間情報が確認されなかったので、優先度が２番目に高い端末装置４の使用者に空調空間情報が供給されていることを知ることができるとともに、優先度が３番目に高い端末装置４の使用者に空調空間情報が供給されてないことを知ることができる。
【００５４】
一方、ステップＳ４において、端末装置４において所定時間内に空調空間情報が確認されない場合には（ステップＳ４：ＮＯ）、空調空間情報が空調管理サーバ３から他の端末装置４に供給される（ステップＳ７）。その後、ステップＳ４を繰り返す。
【００５５】
また、本実施形態の空調管理システム１では、空調管理サーバ３に、過去における端末装置４への空調空間情報の供給や、過去における端末装置４から空気調和機２への運転変更命令の供給についての記録が記憶されており、端末装置４の表示画面１０に触れて操作することによって、図６に示すように、例えば、これまでに空調空間情報がどの端末装置４（使用者）に供給されたか、また、どの端末装置４（使用者）によって空気調和機２の運転が変更されたか等を表示画面１０に表示できる。
【００５６】
＜本実施形態の空調管理システムの特徴＞
本実施形態の空調管理システム１では、空調空間の温度・湿度が情報供給ゾーン内であるときに、そのことを示す空調空間情報が、空調管理サーバ３に登録された優先度に基づいて複数の端末装置４に供給される。したがって、例えば、空調空間情報が複数の端末装置４の全てに供給されないで一部の端末装置４だけに供給されるように設定したり、空調空間情報が複数の端末装置４に対して同時に供給されないで順に供給されるように設定できるので、空調空間情報が複数の端末装置４の全てに同時に供給される場合に対して、空調空間情報を供給する必要のない使用者に対して空調空間情報が供給されるのを抑制できる。
【００５７】
本実施形態の空調管理システム１では、空調空間情報を端末装置４に供給した後、その端末装置４の使用者によって空調空間情報が確認されない場合に、他の使用者の端末装置４に空調空間情報を供給して空調空間情報を知らせることができる。
【００５８】
本実施形態の空調管理システム１では、空調空間情報が端末装置４の使用者によって確認された後は、他の端末装置４の使用者に空調空間情報が供給されなくなるので、空調空間情報を供給する必要のないユーザに対して空調空間情報が供給されるのを抑制できる。
【００５９】
本実施形態の空調管理システム１では、空調空間情報を端末装置４に供給した後、その端末装置４から空調管理サーバ３に使用者確認情報が供給された場合は、使用者確認情報が、それまでに空調空間情報を供給した端末装置４に供給されるので、空調空間情報が使用者によって確認されたことを他の使用者に知らせることができる。
【００６０】
本実施形態の空調管理システム１では、優先度を空調管理サーバ３に登録することによって、その優先度に基づいて空調空間情報を供給できる。
【００６１】
本実施形態の空調管理システム１では、端末装置４が空調空間にある空気調和機に対して運転変更命令を供給できるものであるので、空調空間情報を確認した使用者は、空調空間の温度・湿度が情報供給ゾーン外になるように空気調和機の運転を変更できる。したがって、空調空間にいる使用者が熱中症等になることを防止できる。
【００６２】
〔第２実施形態〕
次に、本発明の第２実施形態に係る空調管理システム１０１について説明する。
【００６３】
本実施形態に係る空調管理システム１０１が、第１実施形態に係る空調管理システム１と異なる点は、第１実施形態では、使用者によって空調管理サーバ３に優先度が登録されるのに対して、本実施形態では、端末装置４から供給される位置情報に基づいて空調管理サーバ３において優先度が決定される点である。その他の構成は、第１実施形態に係る空気調和機１と同一であるので、その説明を省略する。
【００６４】
図７に示すように、空調管理システム１０１の制御部１５０は、優先度決定部１５１と、空調空間情報記憶部５２と、判定部５３と、情報供給部５４と、タイマー５５と、使用者確認情報検知部５６とが形成されている。また、制御部５０は、通信部５７に接続されている。
【００６５】
端末装置４は、例えばスマートフォンなどの液晶端末であって、表示画面１０と、位置情報供給部１１２とを有している。位置情報供給部１１２は、端末装置４の位置情報を空調管理サーバ３に供給する。したがって、空調管理サーバ３では、端末装置４の位置情報に基づいて、その端末装置４と空調空間との距離を知ることができる。本実施形態では、複数の端末装置４のいずれも、位置情報供給部１１２を有しており、端末装置４の位置情報を空調管理サーバ３に供給するものである。
【００６６】
優先度決定部１５１は、空調空間の温度・湿度が所定範囲内である場合に、そのことを示す空調空間情報を端末装置４に供給するときの優先度を決定する。本実施形態では、優先度決定部１５１は、空調空間（空気調和機２）の位置情報を記憶しており、複数の端末装置４から空調管理サーバ３にそれぞれ供給される位置情報に基づいて、複数の端末装置４について、端末装置４と空調空間との距離を検知して、端末装置４と空調空間との距離が短いものから順に、優先度が高いと決定する。したがって、優先度決定部１５１では、複数の端末装置４についての優先度を決定できる。
【００６７】
次に、空調管理システム１０１の動作について、図８を参照しつつ説明する。
【００６８】
まず、判定部５３において、室内温度センサ２１で検知される室内温度や室内湿度センサ２２で検知される室内湿度に基づいて、空調空間情報を端末装置４に供給するか否か（室内温度や室内湿度が判定図において情報供給ゾーンにあるか否か）を判定する（ステップＳ１０１）。室内温度や室内湿度が判定図の情報供給ゾーンにあると判断した場合には（ステップＳ１０１：ＹＥＳ）、優先度決定部１５１において、複数の端末装置４についての優先度が決定される（ステップＳ１０２）。その後、ステップＳ１０２において決定された複数の端末装置４（複数の使用者）についての優先度にしたがって、空調空間情報が端末装置４に供給される（ステップＳ１０３）。このとき、室内温度や室内湿度が判定図の情報供給ゾーンにあると判断された直後は、優先度の最も高い端末装置４（使用者）に対して、空調空間情報が供給される。一方、室内温度や室内湿度が判定図の情報供給ゾーンにない場合には（ステップＳ１０１：ＮＯ）、ステップＳ１０１を繰り返す。
【００６９】
ステップＳ１０３において、空調空間情報が端末装置４に供給された後の動作（ステップＳ１０４からステップＳ１０７）は、第１実施形態の空調管理システム１の動作（ステップＳ４からステップＳ７）と同様であるので、その説明を省略する。
【００７０】
＜本実施形態の空調管理システムの特徴＞
本実施形態の空調管理システム１０１では、第１実施形態の空調管理システム１と同様の効果が得られる。
【００７１】
また、本実施形態の空調管理システム１０１では、空調空間情報が端末装置４に供給されるときの優先度が、空調空間と端末装置４との距離に基づいて決定されるので、使用者が優先度を設定する必要がない。したがって、例えば、空調空間に近い使用者に対して優先して空調空間情報を供給することができる。
【００７２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７３】
例えば、上述の第１および第２実施形態では、端末装置が、空調空間情報が端末装置の使用者によって確認された場合に、空調空間情報が確認されたことを示す使用者確認情報を空調管理サーバに供給するものであって、空調管理サーバは、空調空間情報を端末装置に供給した後、所定時間が経過しても当該端末装置から使用者確認情報が供給されない場合に、空調空間情報を他の端末装置に供給する場合について説明したが、これに限定されない。したがって、空調管理サーバは、空調空間情報を端末装置に供給した後、空調空間情報が端末装置の使用者によって確認されたか否かにかかわらず、空調空間情報を他の端末装置に供給してもよい。
【００７４】
また、上述の第１および第２実施形態では、空調管理サーバが、空調空間情報を端末装置に供給した後、当該端末装置から使用者確認情報が供給された場合は、その使用者確認情報を他の端末装置に供給する場合について説明したが、これに限定されない。したがって、空調空間情報が端末装置の使用者によって確認された場合であっても、そのことが他の端末装置に供給されなくてもよい。
【００７５】
また、上述の第１および第２実施形態では、空調空間情報を端末装置に供給するときの優先度が、使用者の端末装置によって設定される場合と、使用者の端末装置と空調空間との距離に基づいて自動的に決定される場合について説明したが、これに限定されない。したがって、空調空間情報を端末装置に供給するときの優先度が自動的に決定される場合において、空調空間情報を端末装置に供給するときの優先度が、使用者の端末装置と空調空間との距離以外のものに基づいて自動的に決定されてもよい。例えば、空調空間情報を端末装置に供給するときの優先度が、複数の端末装置のそれぞれの使用者の年齢（例えば、年齢順）に基づいて自動的に決定されてもよいし、使用頻度（例えば、空調空間にある空気調和機に対して運転変更命令を供給した回数が多い順）に基づいて自動的に決定されてもよい。また、複数の端末装置が、それぞれの使用者のスケジュールを記憶するものである場合において、空調空間情報を端末装置に供給するときの優先度が、空調空間情報が供給される時刻と、その後の空き時間の開始時刻との間隔（例えば、間隔が短い順など）に基づいて自動的に決定されてもよい。
【００７６】
また、上述の第１および第２実施形態では、空調管理システムが、本発明における管理装置に対応する空調管理サーバと、端末装置とを有する場合について説明したが、本発明における管理装置は、空調空間の温度および湿度の少なくとも一方についての情報を記憶する空調空間情報記憶手段を有するものであれば、空調管理サーバ以外のものであってもよい。
【００７７】
また、上述の第１および第２実施形態では、室内温度及び室内湿度に基づいて、室内温度及び室内湿度が情報供給ゾーンにある場合に空調空間情報が自動的に供給されるが、室内温度に基づいて、室内温度が情報供給ゾーンにある場合に空調空間情報が自動的に供給されてもよい。この場合、図９に示す判定図を使用する。図９の判定図には、図２と同様に、線Ａより右側の領域は室内温度が２７度以上の領域である情報供給ゾーンが設定される。この場合も、室内温度が情報供給ゾーンにある場合には、空調空間情報が供給される。そして、空調管理システムの動作は、第１および第２実施形態において室内温度及び室内湿度に基づいて行われるのが、室内温度に基づいて行われる点で異なるが、その他は、第１および第２実施形態と同様の方法で行われる。
【００７８】
また、上述の第１および第２実施形態では、室内温度及び室内湿度に基づいて、室内温度及び室内湿度が情報供給ゾーンにある場合に空調空間情報が自動的に供給されるが、室内湿度に基づいて、室内湿度が情報供給ゾーンにある場合に空調空間情報が自動的に供給されてもよい。そして、空調管理システムの動作は、第１および第２実施形態において室内温度及び室内湿度に基づいて行われるのが、室内湿度に基づいて行われる点で異なるが、その他は、第１および第２実施形態と同様の方法で行われる。
【００７９】
また、上述の第１および第２実施形態では、室内機に配置された室内温度センサ及び室内湿度センサで検出された室内温度及び室内湿度に基づいて空調空間情報が供給されるが、その他の空調空間（例えばリモコン）に配置された室内温度センサ及び室内湿度センサで検出された室内温度及び室内湿度に基づいて空調空間情報が供給されてもよい。
【００８０】
また、上述の第１および第２実施形態では、端末装置が、空調空間にある空気調和機に対して運転変更命令を供給できるものであるが、空調空間にある空気調和機に対して運転変更命令を供給できない端末装置であってもよい。
【産業上の利用可能性】
【００８１】
本発明を利用すれば、空調空間情報を供給する必要のない使用者に対して空調空間情報が供給されるのを抑制できる。
【符号の説明】
【００８２】
１、１０１  空調管理システム
２  空気調和機
３  空調管理サーバ（管理装置）
４  端末装置
５１  優先度記憶部（優先度記憶手段）
５２  空調空間情報記憶部（空調空間情報記憶手段）
１５１  優先度決定部（優先度決定手段）
【図１】
2015014410.tif 000003
【図２】
2015014410.tif 000004
【図３】
2015014410.tif 000005
【図４】
2015014410.tif 000006
【図５】
2015014410.tif 000007
【図６】
2015014410.tif 000008
【図７】
2015014410.tif 000009
【図８】
2015014410.tif 000010
【図９】
2015014410.tif 000011